(57)【要約】      （修正有）【課題】細いボールペンの回転円筒内部から、芯受けに一体に形成された軸溝より大いノブを軸筒上に出す。また回転円筒に回転の付勢力を与えるバネを不要にする。【解決の手段】回転円筒２の誘導溝２ａの前端と軸溝１ａの前端にノブ３ｂより大きな、ノブがくぐり得る孔を形成し、二つの孔を一致させてノック棒上のノブをくぐらせた後、回転円筒を後退させて、一旦軸筒上に出たノブの沈下を防ぐ。また誘導溝の前端を半弓形２ｂにして、バネなしで、ノック棒の前進により円筒を回転させる。【選択図】  図１
2005007843.tif 000002
【特許請求の範囲】
【請求項１】
芯送り出しノブを軸筒上に設けるボールペンにおいて、軸筒内に設けた回転円筒（２）の変形Ｚ字型の誘導溝（２ａ）の前端の半弓形部（２ｂ）又は三角形部（２ｅ）を、芯受け（３）の一端に突出させたノック棒（３ａ）の頭部ノブ（３ｂ）が通り得る大きさに形成し、また軸溝（１ａ）の前端にノブがくぐり得るノブくぐり孔（１ｂ）を形成し、ノブ（３ｂ）を半弓形部（２ｂ）、ノブくぐり孔（１ｂ）の両者をくぐって軸筒上に出した後、回転円筒（２）をノブくぐり孔分後退させて、ノブ（３ｂ）が移動してもノブがノブくぐり孔（１ｂ）に沈下しないようにした組み入れ方法と機構
【請求項２】
芯受け（３）にノック棒（３ａ）とノブ（３ｂ）を一体に形成した芯受け（３）の管部（３ｅ）を回転円筒（２）の誘導溝（２ａ）の長さの半分程度の長さに形成し、一つの芯受け（３）のノブを軸溝（１ａ）上に出して、その芯受け（３）を回転円筒（２）の後端部に移動させた後、他の芯受けの管部を回転円筒の前方部に差し込み、ノブを軸筒上に出す方法による、多芯の芯受け装着機構
【請求項３】
変形Ｚ字型の誘導溝（２ａ）の前端横溝を半弓状又は三角状に形成し、芯受け（３）と一体に形成したノック棒（３ａ）上のノブ（３ｂ）の前進により回転円筒（２）に自然に弓形弧分だけまたは斜辺分だけ回転を与える機構
【発明の詳細な説明】
【０００１】
【発明の属する技術分野】
本発明はノブ操作により芯先を交替させるボールペンにおいて、ノブ組み入れ方法と、芯先を交替させる回転円筒の誘導溝の形態に関する。
【０００２】
【従来の技術】
従来のノブ操作により芯先を交替させるボールペンにおいては、細いボールペンの内部から、芯受けに一体に形成されたノブを軸筒上に出すことは困難で、ノブは芯受け支柱に外部から螺着させねばならなかった。（例えば、特開２００２−３２１４９２）また、回転円筒に回転の付勢力を付けるために細い軸筒内にバネを付設することは工作上手間がかかる。（同上例）
【０００３】
【発明が解決しようとする課題】
ノブ軸（ノック棒）もノブも芯受けと一体に形成して、組み合わせと取り付けの手間を不要にし、細い回転円筒内から軸溝より大きいノブを軸溝上に出し得るように工夫し、回転円筒に付設する円筒回転用のバネも不要にしたい。
【０００４】
本発明はボールペンの芯を交替させるノブをペン軸の握り部付近に設けたボールペンにおいて、芯受けと一体に形成した軸溝より大きいノブを軸筒内から軸溝上に出し、一旦出したら、沈下することがないようにする機構、また回転円筒に回転の付勢力を付けるためのバネを要せず、ノブの前進により自然に回転円筒が回転する誘導溝の機構を提供する。
【０００５】
上記目的を達するため本発明は次の組み入れ方法と機構を提供する。
軸筒内で回転し得る回転円筒表面に設けた誘導溝から、芯を挿着する芯受けの一端に突出したノック棒を通し、更に軸筒に設けた軸溝に通し、ノック棒先端のノブを前後進させることにより芯を前後進させて芯を交替させるボールペンの構造において、ノック棒の先端の、軸溝より巾広いノブを軸筒上に出す方法として、誘導溝前端にノブが通り得るくぐり孔を設け、軸溝前端にもノブが通り得るノブくぐり孔を設け、両者くぐり孔からノブを軸筒上に出した後、回転円筒をノブくぐり孔分だけ後退させて回転円筒の位置決定することにより、ノブが軸溝を前進しても、ノック棒が誘導溝前端（弓形部前端又は三角形部前端）で停止するのでノブは軸溝のノブくぐり孔にまでは達しないことにより、ノブの沈下を防ぐことが出来、細い軸筒内から芯受けと一体に形成した軸溝より大きいノブを軸筒上に出す取り付け方法と機構とが提供された。
【０００６】
芯受けにノック棒とノブを一体に形成した芯受けの管部を誘導溝の長さの半分程度の長さに形成することにより、前述の方法で芯受けのノブを軸溝上に出してから芯受けを回転円筒の後端部に移動させた後、回転円筒内前方部にできた空間にノック棒とノブを一体に形成した他の芯受けの管部を回転円筒の前端部に寄せて挿入出来、前述同様そのノブを軸溝上に出す方法により、細い回転円筒内に芯受けを二乃至三個装着出来る。
【０００７】
変形Ｚ字型誘導溝前端の横溝を半弓形状または三角形状に形成し、ノック棒の前進により半弓形弧部または三角の斜辺部が押されて自然に回転円筒が回転する。従って回転円筒に回転付勢力を与えておくバネは不要になる。
【０００８】
【発明の実施の形態】
発明の実施の形態を一実施例にもとづき図面を参照して説明する。
本発明においては、ペン軸を細く形成するため、特願２００１−１６７４６１特開２００２−３２１４９２の発明においてスプリンを芯受けに巻いて取り付けたものを廃止し、芯受けの末端の矢じり部にスプリングを取り付けて他端を軸筒内後端部に係着する方法をとった。
【０００９】
図Ｉは軸筒を半裁して、回転円筒２が軸握り部付近の軸筒１内に内接して設けられている状態の平面図である。回転円筒２は半裁されていない。図においては回転円筒２は軸筒内面の円筒係止段差Ｉｄまで、軸筒に螺合した軸先端部１ｃに押されて後退した定位置に納まっている。
【００１０】
図２は軸筒に設けられた巾１センチメートルの軸溝１ａの前端に、ノブより大きいノブくぐり孔１ｂが設けられ、図３に示すように回転円筒２の誘導溝２ａの前端の半弓形部２ｂは同図面に比較してあるノブ３ｂがくぐり得る大きさに形成されていて、図３に示すように、回転円筒を前方に移動し、半弓形部を軸筒ノブくぐり孔１ｂに一致させると、芯受け３に一体に形成されたノブ３ｂとノック棒３ａは半弓形部をくぐり、また軸溝のノブくぐり孔１ｂを通って軸筒上にノブ３ｂを出すことができる。
【００１１】
図８に示すように、ノブ３ｂを軸溝１ａの後部に押し進めると、ノック棒３ａと一体の芯受け３を誘導溝２ａ後端まで押す。余裕が出来た回転円筒２の前方部内にノック棒、ノブと一体に形成した他の芯受け３を差し込むことが出来る。前記同様にしてノブ３ｂを軸溝上に出す。その後図Ｉに示すように、軸先端部１ｃを軸筒１に螺合して、半弓形部２ｂの前端がノブくぐり孔１ｂの後端に来るまで回転円筒を後退させ、回転円筒後端が円筒係止段差１ｄに達する定位置に設定する。
【００１２】
図７に示すように、ノック棒３ａは芯受けの前端に設けられており、芯受けの管部３ｅは二芯の場合およそ誘導溝２ａの半分の長さで、後方は管の一側を延ばし芯受け後端部３ｃとし、その端は矢じり状の矢じり部３ｄに形成し、スプリング４を差し込み、図８にはスプリングの他端までは図示していないが、軸筒頭部に設けるクリップの筒内基部に係着する。二芯の場合は二つの芯受けの矢じり部に一個のスプリングを輪にして基部に係着することができる。
【００１３】
図９に示すように、ノブ３ｂは巾２．５ミリメートルで、軸溝１ａは１ミリメートルがよい。ノブ３ｂを前方に移動させても、ノック棒３ａは誘導溝２ａ前端に阻止されるので、ノブくぐり孔１ｂの位置まで進むことが出来ないので、ノブ３ｂは沈下しない。ノブくぐり孔１ｂ部分を軸筒を巻く金環で覆うと美観を呈する。図４、図５、図６は二芯の場合の回転円筒と誘導溝を示すものであるが、三芯も四芯も可能である。四芯の場合は芯受けを細くするか、または軸が太くなる。
【００１４】
図６は回転円筒の展開図である。ノック棒３ａが誘導孔後端ａより中間のｂに至る間、回転円筒３は前方に関し左に回り、他芯の芯受けのノック棒が半弓形部の後端係止２ｄに係っておれば、それが回転により外ずれ、他芯はスプリングの力で軸口から後退する。もし他芯のノック棒が誘導溝後端にあれば退避溝部２ｃに退避する。ノブ３ｂをなお押し進めると、進めた交替芯が軸口に出ることが出来、ノック棒が半弓形弧部を押して、回転円筒を右回転させ、ノブから指を離すと、ノック棒はスプリングの力で僅かに後退して半弓形部の後端係止２ｄに係止され、筆記可能になる。ｂまで進めたところでノブを手ばなして戻せば、二芯とも軸筒内に収まる。
【００１５】
図１０は半弓形部２ｂとノブくぐり孔１ｂとを重ねてノブ３ｂを軸溝上に出す操作における三者関係を拡大して示した。半弓形部もノブくぐり孔もノブより大きいのでノブをくぐらせた上で、ノブを軸溝１ａを通って後退させ芯受けを図８で図示の位置まで退かせ、回転円筒前方部の空いた空間に他の芯受けを差し込み、前述同様ノブを軸溝上に出すことができる。
【００１６】
【発明の効果】
細いボールペンの内部から、芯受けに一体に形成された軸溝より大きいノブを軸筒上に出すことは困難で、ノブは芯受け支柱に外部から螺着させねばならなかったが（例えば特願２００１−１６７４６１）、誘導溝の一部（半弓形部）と筒溝の一部（ノブくぐり孔）をノブより大きく形成し、軸筒内部から芯受けと一体に形成された軸溝より大きいノブを軸筒上に出した上で回転円筒を後退させて、ノブが軸溝を移動しても、もはや沈下しないことを可能にした。また芯受けの長さを誘導溝の長さの半分以下にすることにより、多芯の場合も同様の芯受け装着を可能にした。また誘導溝の前端を半弓形に形成したことにより、回転円筒に付設する円筒回転用のバネを不要にした。
【図面の簡単な説明】
【図１】軸筒を半裁した縦断面図
【図２】軸筒の軸溝部分平面図
【図３】半裁した軸筒内で半形弓部が軸溝くぐり孔に重なるよう回転円筒を前進させた図
【図４】回転円筒の誘導溝
【図５】回転円筒斜視図
【図６】回転円筒の展開図と誘導溝前端を三角形状にした一例
【図７】芯受け斜視図
【図８】回転円筒、芯受けを装着した軸筒の斜視図
【図９】ノック棒とノブ、その寸法一例
【図１０】半弓形部とノブくぐり孔を重ねてノブを軸溝上に出す三者関係を示す拡大図
【符号の説明】
１、軸筒
１ａ    軸溝
１ｂ    ノブくぐり孔
１ｃ    軸先端部
１ｄ    円筒係止段差
１ｅ    ゴム環装着部（ゴム環は図示してない）
２、回転円筒
２ａ    誘導溝
２ｂ    半弓形部
２ｃ    退避溝部
２ｄ    後端係止
２ｅ    三角形部
３、芯受け
３ａ    ノック棒
３ｂ    ノブ
３ｃ    芯受け後端部
３ｄ    矢じり部
３ｅ    管部
４、スプリング
【図１】
2005007843.tif 000003
【図２】
2005007843.tif 000004
【図３】
2005007843.tif 000005
【図４】
2005007843.tif 000006
【図５】
2005007843.tif 000007
【図６】
2005007843.tif 000008
【図７】
2005007843.tif 000009
【図８】
2005007843.tif 000010
【図９】
2005007843.tif 000011
【図１０】
2005007843.tif 000012
【手続補正書】
【提出日】平成15年8月2日(2003.8.2)
【手続補正１】
【補正対象書類名】明細書
【補正対象項目名】請求項２
【補正方法】変更
【補正の内容】
【請求項２】
芯受け（３）の前端部にノック棒（３ａ）と棒上にノブ（３ｂ）を一体に形成した芯受け（３）の管部（３ｅ）の長さを、一芯受けのノック棒を誘導溝後端に位置させた時の管部前端と、他の芯受けのノック棒を誘導溝前端に位置させた時の管部前端との間隔以下に形成し、一つの芯受け（３）のノブを軸溝（１ａ）上に出して、その芯受けを誘導溝後端部に移動させた後、他の芯受けの管部を空いている回転円筒の前方部に差し込みノブを軸筒上に出す方法による、多芯の芯受け装着機構
【手続補正２】
【補正対象書類名】明細書
【補正対象項目名】０００６
【補正方法】変更
【補正の内容】
【０００６】
芯受けの前端部にノック棒と棒上にノブを一体に形成した芯受けの管部の長さを、一芯受けのノック棒を誘導溝後端に位置させた時の管部前端と、他の芯受けのノック棒を誘導溝前端に位置させた時の管部前端との間隔以下に形成し、一つの芯受けのノブを軸溝上に出して、その芯受けを誘導溝後端部に移動させた後、他の芯受けの管部を空いている回転円筒の前方部に差し込むことが出来、前述同様そのノブを軸溝上に出す方法により、細い回転円筒内に芯受けを二乃至数個装着出来る。


【手続補正３】
【補正対象書類名】明細書
【補正対象項目名】００１２
【補正方法】変更
【補正の内容】
【００１２】
図７に示すように、ノック棒３ａは芯受けの前端に設けられており、芯受の管部の長さは、一芯受けのノック棒を誘導溝後端に位置させた時の管部前端と、他の芯受けのノック棒を誘導溝前端に位置させた時の管部前端との間隔以下に形成し、後方は管の一側を延ばし芯受け後端部３ｃとし、その端は矢じり状の矢じり部３ｄに形成し、スプリング４を差し込み、図８にはスプリングの他端までは図示していないが、軸筒頭部に設けるクリップの筒内基部に係着する。二芯の場合は二つの芯受けの矢じり部に一個のスプリングを輪にして基部に係着することができる。


【手続補正４】
【補正対象書類名】明細書
【補正対象項目名】００１０
【補正方法】変更
【補正の内容】
【００１０】
図２は軸筒に設けられた巾１ミリメートルの軸溝１ａの前端に、ノブより大きいノブくぐり孔１ｂが設けられ、図３に示すように回転円筒２の誘導溝２ａの前端の半弓形部２ｂは同図面に比較してあるノブ３ｂがくぐり得る大きさに形成されていて、図３に示すように、回転円筒を前方に移動し、半弓形部を軸筒ノブくぐり孔１ｂに一致させると、芯受け３に一体に形成されたノブ３ｂとノック棒３ａは半弓形部をくぐり、また軸溝のノブくぐり孔１ｂを通って軸筒上にノブ３ｂを出すことができる。